(57)【要約】【課題】  ロケール設定が情報処理装置を使用するエリアに対応して設定されていない場合であっても、そのエリアに見合ったソフトウェアを構成することが可能なインストーラプログラムもしくはインストール方法を提供する。【解決手段】  ソフトウェアのインストール先である情報処理装置に対して、前記情報処理装置が動作するタイムゾーンを取得する取得手段と、前記取得手段により取得された前記タイムゾーンに基づき前記情報処理装置が使用されているエリアを判定する判定手段と、前記判定手段による判定結果に基づきインストール可能なソフトウェアを決定する決定手段と、前記決定手段により決定されたインストール可能なソフトウェアをインストールするインストール手段として機能させるインストーラプログラム、又はインストール方法。【選択図】  図１
2013073321.tif 000002
【特許請求の範囲】
【請求項１】
ソフトウェアのインストール先である情報処理装置に対して、
前記情報処理装置が動作するタイムゾーンを取得する取得手段と、
前記取得手段により取得された前記タイムゾーンに基づき前記情報処理装置が使用されているエリアを判定する判定手段と、
前記判定手段による判定結果に基づきインストール可能なソフトウェアを決定する決定手段と、
前記決定手段により決定されたインストール可能なソフトウェアをインストールするインストール手段として機能させること
を特徴とするインストールプログラム。
【請求項２】
前記情報処理装置のロケール情報を取得するロケール情報取得手段と、
前記取得手段により取得されたタイムゾーンに対応する使用地域と、前記ロケール情報取得手段により取得されたロケール情報に対応する使用地域とを比較する地域比較手段と、
前記地域比較部による比較の結果、タイムゾーンに対応する使用地域とロケール情報に対応する使用地域とが異なる場合、前記情報処理装置の使用地域の入力を使用者に対して促す地域入力手段とを備えること
を特徴とする請求項１記載のインストールプログラム。
【請求項３】
ソフトウェアのインストール先である情報処理装置に対して、
前記情報処理装置が動作するタイムゾーンを取得させる取得ステップと、
前記取得ステップにおいて取得された前記タイムゾーンに基づき前記情報処理装置が使用されているエリアを判定させる判定ステップと、
前記判定ステップにおける判定結果に基づきインストール可能なソフトウェアを決定させる決定ステップと、
前記決定ステップにおいて決定されたインストール可能なソフトウェアをインストールさせるインストールステップとを備えること
を特徴とするインストール方法。
【請求項４】
前記情報処理装置のロケール情報を取得させるロケール情報取得ステップと、
前記取得手段により取得されたタイムゾーンに対応する使用地域と、前記ロケール情報取得手段により取得されたロケール情報に対応する使用地域とを比較させる地域比較ステップと、
前記地域比較ステップにおける比較の結果、タイムゾーンに対応する使用地域とロケール情報に対応する使用地域とが異なる場合、前記情報処理装置の使用地域の入力を使用者に対して促させる地域入力ステップとを備えること
を特徴とする請求項３記載のインストール方法。
【請求項５】
前記判定手段による判定結果に基づき表示言語を変更する表示手段を備えること
を特徴とする請求項１、又は請求項２記載のインストールプログラム。
【請求項６】
前記判定ステップにおける判定結果に基づき表示言語を変更させる表示変更ステップを備えること
を特徴とする請求項３、又は請求項４記載のインストール方法。
【発明の詳細な説明】
【技術分野】
【０００１】
本発明は、ソフトウェアをインストールするためのインストーラプログラムもしくはインストール方法に関するものである。
【背景技術】
【０００２】
従来、ホストコンピュータ等の情報処理装置と接続された、プリンタや複合機等の画像形成装置を情報処理装置から使用するためには、画像形成装置に適した各種ソフトウェアを情報処理装置に対してインストールする必要がある。
【０００３】
情報処理装置に対して各種ソフトウェアをインストールするに当り、インストーラプログラムと称されるソフトウェアが利用される。一般的なインストーラプログラムは、情報処理装置上のロケール情報を判断してそのインストーラプログラム自身の表示言語やインストールするソフトウェアの言語を決定する（例えば、特許文献１参照）。
【先行技術文献】
【特許文献】
【０００４】
【特許文献１】特開２００７−６９３８８号公報
【発明の概要】
【発明が解決しようとする課題】
【０００５】
一般的に、情報処理装置上のロケール設定は使用言語の設定の意味合いが強いため、例え、使用言語が一致しているものであっても、情報処理装置を実際に使用するエリアがロケール設定において設定されるエリアに対応しているとは限らない。
【０００６】
例えば、オペレーティングシステムのデフォルト設定が米国（英語）となっている場合、アジアにおける英語圏の国では、使用言語はそのまま使用可能であるため、ロケール設定はデフォルト設定のままとなっている場合が多い。また、日本国内に長期滞在する者もロケール設定は自国の母言語のエリアに設定したままであるのが殆どである。
【０００７】
このような状況下において、上記のインストーラプログラムでは、ロケール設定が情報処理装置を使用するエリアに対応して設定されていない場合に、そのエリアに見合ったソフトウェア構成、すなわち、インストール対象のソフトウェア構成が表示されず、使用者にとって利便性が悪いといった問題があった。
【０００８】
本発明は、このような実情に鑑みてなされたものであり、本発明の課題は、ロケール設定が情報処理装置を使用するエリアに対応して設定されていない場合であっても、そのエリアに見合ったソフトウェアを構成することが可能なインストーラプログラムもしくはインストール方法を提供することである。
【課題を解決するための手段】
【０００９】
上記課題を解決するために、本発明にかかるインストーラプログラムは、ソフトウェアのインストール先である情報処理装置に対して、前記情報処理装置が動作するタイムゾーンを取得する取得手段と、前記取得手段により取得された前記タイムゾーンに基づき前記情報処理装置が使用されているエリアを判定する判定手段と、前記判定手段による判定結果に基づきインストール可能なソフトウェアを決定する決定手段と、前記決定手段により決定されたインストール可能なソフトウェアをインストールするインストール手段として機能させることを特徴とする。
【００１０】
また、本発明にかかるインストール法は、ソフトウェアのインストール先である情報処理装置に対して、前記情報処理装置が動作するタイムゾーンを取得させる取得ステップと、前記取得ステップにおいて取得された前記タイムゾーンに基づき前記情報処理装置が使用されているエリアを判定させる判定ステップと、前記判定ステップにおける判定結果に基づきインストール可能なソフトウェアを決定させる決定ステップと、前記決定ステップにおいて決定されたインストール可能なソフトウェアをインストールさせるインストールステップとを備えることを特徴とする。
【発明の効果】
【００１１】
本発明によれば、ロケール設定が情報処理装置を使用するエリアに対応して設定されていない場合であっても、そのエリアに見合ったソフトウェアを構成することが可能なインストーラプログラムもしくはインストール方法を提供することができる。
【図面の簡単な説明】
【００１２】
【図１】第１の実施形態の構成を説明するための機能ブロック図である。
【図２】エリア別ソフト構成プロファイルの構成を説明する図である。
【図３】ソフトウェアパッケージの構成を説明する図である。
【図４】使用者により選択されたインストール対象ソフトウェアに対応するソフトウェアパッケージがインストールされるまでの動作を説明するためのフローチャートである。
【図５】タイムゾーン設定情報の一例（ａ）、及びロケール情報の一例（ｂ）を説明する図である。
【図６】ソフト構成を表示するインタフェースの例を説明する図である。
【図７】第１の実施形態の構成を説明するための機能ブロック図である。
【図８】使用者により選択されたインストール対象ソフトウェアに対応するソフトウェアパッケージがインストールされるまでの動作を説明するためのフローチャートである。
【発明を実施するための形態】
【００１３】
以下、本発明の実施形態について図面を参照して説明する。なお、本発明は以下の記述に限定されるものではなく、本発明の要旨を逸脱しない範囲において適宜変更可能である。
【００１４】
［第１の実施形態］
図１は、第１の実施形態の構成を説明するための機能ブロック図である。なお、本実施形態の説明においては、情報入力手段たるマウス１０１と、情報表示手段たるディスプレイ１０２とが接続されたホストコンピュータ１００を情報処理装置の一例として説明する。
【００１５】
ホストコンピュータ１００は、演算処理を実行するＣＰＵ（Central Processing Unit）１０５と、ＯＳ（Operating System）１０６と、記憶部１０９とを備える。
【００１６】
ＯＳ１０６は、ホストコンピュータ１００が使用されるエリア、使用言語、単位、表記といったロケール情報を設定するロケール設定部１０７と、ホストコンピュータ１００が動作するタイムゾーンを設定するタイムゾーン設定部１０８とを有し、設定されたロケール情報とタイムゾーンとは、記憶部１０９にそれぞれ記憶される。
【００１７】
記憶部１０９は、例えば、ＲＡＭ（Random Access Memory）、ＲＯＭ（Read Only Memory）、又はＨＤＤ（Hard Disk Drive）といった記憶装置を備え、ロケール設定部１０７において設定されたロケール情報、タイムゾーン設定部１０８において設定されたタイムゾーン、インストーラプログラムによりインストールされた各種ソフトウェア等を記憶する。
【００１８】
ホストコンピュータ１００には、画像形成装置たるプリンタ／複合機１０４が、例えば、ＵＳＢ（Universal Serial Bus）ケーブルやＬＡＮ(Local Area Network)ケーブルといった信号線Ｃを介して電気的に接続されている。ホストコンピュータ１００は、ＣＰＵ１０５がプリンタ／複合機１０４に適した各種ソフトウェアに基づき動作することで、プリンタ／複合機１０４に対して画像の印刷や、印刷環境の設定等を行わせることができる。
【００１９】
さらに、ホストコンピュータ１００は、例えば、ＣＤ−ＲＯＭ、ＤＶＤ−ＲＯＭ、フロッピー（登録商標）ディスク、又はＵＳＢメモリといった記憶媒体１０３と接続可能となるように構成されている。記憶媒体１０３は、ＯＳ１０６上で動作可能なプログラムとして提供されるインストーラプログラム１１０と、エリア別ソフト構成プロファイル１２０と、ソフトウェアパッケージ１３０とを格納している。
【００２０】
インストーラプログラム１１０は、プリンタドライバ、スキャナドライバ、Ｆａｘドライバ等のデバイスドライバに加え、プリンタ／複合機１０４の各種設定を行うためのユーティリティプログラム、スクリーンフォントやオンラインマニュアル等のプリンタ／複合機１０４に特有な各種ソフトウェアを使用者の必要性に応じてインストールさせるプログラムである。ＣＰＵ１０５は、インストーラプログラム１１０を実行することにより、後述するソフトウェアパッケージ１３０をインストールすることができる。
【００２１】
このような機能を有するインストーラプログラム１１０は、取得手段、並びに判定手段とを兼ねるタイムゾーン取得部１１１と、ロケール取得部１１２と、決定手段としてのインストール構成決定部１１３と、表示手段としての表示部１１４と、インストール手段としてのインストール部１１５とを備え、ＣＰＵ１０５は各部に係る処理を実行することにより、その機能を実現する。
【００２２】
タイムゾーン取得部１１１は、タイムゾーン設定部１０８において設定され、記憶部１０９に記憶されたタイムゾーンを取得させる。
【００２３】
ロケール取得部１１２は、ロケール設定部１０７において設定され、記憶部１０９に記憶されたロケール情報を取得させる。
【００２４】
インストール構成決定部１１３は、取得されたタイムゾーン、ロケール情報からエリア別ソフト構成プロファイル１２０を参照し、インストール対象のソフトウェア構成を決定させる。
【００２５】
表示部１１４は、決定されたソフトウェア構成に基づきインストール対象ソフトウェアを使用者が選択可能となるようにユーザインタフェースをディスプレイ１０２を介して表示させる。
【００２６】
インストール部１１５は、使用者により選択されたインストール対象ソフトウェアに対応するソフトウェアパッケージ１３０をインストールさせる。
【００２７】
また、エリア別ソフト構成プロファイル１２０は、図２に示すように、対応タイムゾーン１２１、使用エリア１２２、対応ロケール（表示言語）１２３、表示カテゴリ１２４、インストール可能なソフトウェアのソフト構成１２５、及び各ソフトウェアパッケージの格納場所１２６を特定可能な情報を備える。
【００２８】
そして、ソフトウェアパッケージ１３０は、図３に示すように、カテゴリ１３１、使用エリア名１３２、及び各使用エリア向けのソフトウェアパッケージ１３３からなるディレクトリ構成で記憶媒体１０３に格納されている。
【００２９】
次に、このような構成を有する記憶媒体１０３がホストコンピュータ１００に接続され、使用者により選択されたインストール対象ソフトウェアに対応するソフトウェアパッケージ１３０がインストールされるまでの動作について図４のフローチャートを用いて説明する。
【００３０】
まず、Ｓ１０１において、記憶媒体１０３がホストコンピュータ１００に接続され、インストーラプログラム１１０が実行されると、ＣＰＵ１０５は、タイムゾーン取得部１１１に係る処理を実行する。タイムゾーン取得部１１１は、タイムゾーン設定部１０８において設定され、記憶部１０９に記憶されたタイムゾーンを取得する。なお、タイムゾーンの設定情報は、例えば、図５（ａ）に示すように、“（ＧＭＴ＋０９：００）東京、札幌、大阪”といった、エリアを識別できる文字列であってもよいし、タイムゾーンを識別可能なＩＤ番号であっても構わない。
【００３１】
次に、Ｓ１０２において、ＣＰＵ１０５は、ロケール取得部１１２に係る処理を実行する。ロケール取得部１１２は、ロケール設定部１０７において設定され、記憶部１０９に記憶されたロケール情報を取得する。なお、ロケール情報は、例えば、図５（ｂ）に示すように、“００１１”といった、ホストコンピュータ１００で使用可能な表示言語を識別する情報であり、通常言語を表すロケール番号として取得される。
【００３２】
そして、ＣＰＵ１０５は、インストール構成決定部１１３に係る処理を実行する。すなわち、インストール構成決定部１１３は、エリア別ソフト構成プロファイル１２０を参照し、Ｓ１０１において取得したタイムゾーンがサポートされたタイムゾーンに一致するか否かを判断する（Ｓ１０３）。ここで、取得したタイムゾーンがサポートされたタイムゾーンに一致する場合（取得したタイムゾーンに対応するタイムゾーンが図２の情報にある場合）（Ｓ１０３  Ｙｅｓ）、インストール構成決定部１１３は使用エリアを決定する（Ｓ１０４）。一方、取得したタイムゾーンがサポートされたタイムゾーンに一致しない場合（取得したタイムゾーンに対応するタイムゾーンが図２の情報にある場合）（Ｓ１０３  Ｎｏ）、インストール構成決定部１１３は使用エリアを予め設定されたデフォルトの構成に決定する（Ｓ１０５）。
【００３３】
次に、ＣＰＵ１０５は、インストール構成決定部１１３を介してエリア別ソフト構成プロファイル１２０を参照し、Ｓ１０２において取得したロケール情報がホストコンピュータ１００の使用エリアの対応ロケールに含まれているか否かを判断する（Ｓ１０６）。ここで、取得したロケール情報が対応ロケールに含まれている場合（Ｓ１０６  Ｙｅｓ）、ＣＰＵ１０５は取得したロケール情報の表示言語に決定する（Ｓ１０７）、一方、取得したロケール情報が対応ロケールに含まれていない場合（Ｓ１０６  Ｎｏ）、ＣＰＵ１０５はインストール構成決定部１１３によって、表示言語をデフォルト（例えば、英語）の構成に決定する（Ｓ１０８）。
【００３４】
そして、ＣＰＵ１０５はインストール構成決定部１１３によって、Ｓ１０４、又はＳ１０５において決定した使用エリアに基づき、対応するソフトウェアのソフト構成をカテゴリ別に取得する。
【００３５】
次に、ＣＰＵ１０５は、表示部１１４に係る処理を実行する。表示部１１４は、取得したソフト構成をＳ１０７、又はＳ１０８において決定した表示言語にてディスプレイ１０２を介して表示させる（Ｓ１０９）。
【００３６】
Ｓ１０９において、ディスプレイ１０２を介して表示されたソフト構成から、使用者によりインストール対象ソフトウェアが選択されると、ＣＰＵ１０５は、インストール部１１５に係る処理を実行する。すなわち、ＣＰＵ１０５はインストール部１１５によって、使用者により選択されたインストール対象ソフトウェアに対応するソフトウェアパッケージ１３０の格納場所をエリア別ソフト構成プロファイル１２０から取得し（Ｓ１１０）、取得した格納場所に格納されているソフトウェアパッケージ１３０をインストールする（Ｓ１１１）。
【００３７】
ここで、Ｓ１０９において、ソフト構成を表示するインタフェースの例について図６を用いて説明する。インタフェース５０１は、タイムゾーンに基づき決定された使用エリアを表示する使用地域５０２と、エリア別ソフト構成プロファイル１２０が備える情報、並びに決定した使用エリアに対応するソフトウェアのソフト構成を表示する表示領域５０３と、インストールの実行を受け付けるインストールボタン５０４と、使用エリアの再設定を受け付ける使用地域再設定ボタン５０５とを備える。
【００３８】
なお、表示領域５０３において、各ソフトウェアパッケージの表示部分の片側にチェックボックスを設け、インストールするか否かを選択可能となるように構成しても構わない。
【００３９】
以上のように、第１の実施形態によれば、ホストコンピュータにおけるロケール設定がホストコンピュータの使用エリアに設定されていない場合においても、タイムゾーン設定が示すエリアがホストコンピュータを使用しているエリアと一致しているならば、そのエリアに見合ったソフトウェアをインストール対象に構成することができるため、使用者の利便性を向上させることができる。また、複数の販売拠点のインストーラプログラムを共通のインストーラプログラムで提供することでコストの低減を図ることができるという効果も期待することができる。
【００４０】
［第２の実施形態］
第２の実施形態では、ホストコンピュータにおけるロケール設定がホストコンピュータの使用地域に設定されていない場合においても、当該ホストコンピュータの使用地域の入力を使用者に対して促し、その地域に見合ったソフトウェア確実にインストール対象に構成することが可能な形態について説明する。
【００４１】
なお、第２の実施形態の構成は第１の実施形態の構成と略同一である。したがって、本実施形態の説明においては、第１の実施形態と同一の構成については同一の符号を付してその説明は省略する。
【００４２】
図７は、第２の実施形態の構成を説明するための機能ブロック図である。第２の実施形態に係る記憶媒体１０３’は、第１の実施形態で説明したインストーラプログラム１１０の構成に加え、地域比較手段としての地域比較部１１６、地域入力手段としての地域入力部１１７、及びインストール構成決定部１１３’を有するインストーラプログラム１１０’を備え、ＣＰＵ１０５は各部に係る処理を実行することにより、その機能を実現させる。
【００４３】
地域比較部１１６は、タイムゾーン取得部１１１に係る処理において取得したタイムゾーンが示す地域情報と、ロケール取得部１１２に係る処理において取得した地域情報とを比較させる。
【００４４】
地域入力部１１７は、地域比較部１１６に係る処理において比較結果が一致しない場合に、使用者にホストコンピュータ１００の使用エリアの入力を促すユーザインタフェースをディスプレイ１０２を介して表示させる。
【００４５】
インストール構成決定部１１３’は、取得されたタイムゾーン、ロケール情報、並びに地域入力１１７に係る処理において入力された使用エリアからエリア別ソフト構成プロファイル１２０を参照し、インストール対象のソフトウェア構成を決定させる。
【００４６】
次に、このような構成を有する記憶媒体１０３’がホストコンピュータ１００に接続され、使用者により選択されたインストール対象ソフトに対応するソフトウェアパッケージ１３０がインストールされるまでの動作について図８のフローチャートを用いて説明する。
【００４７】
まず、Ｓ２０１において、記憶媒体１０３’がホストコンピュータ１００に接続され、インストーラプログラム１１０’が実行されると、ＣＰＵ１０５は、タイムゾーン取得部１１１に係る処理を実行する。タイムゾーン取得部１１１は、タイムゾーン設定部１０８において設定され、記憶部１０９に記憶されたタイムゾーンを取得する。なお、タイムゾーンの情報は、例えば、図５（ａ）に示すように、“（ＧＭＴ＋０９：００）東京、札幌、大阪”といった、エリアを識別できる文字列であってもよいし、タイムゾーンを識別可能なＩＤ番号であっても構わない。
【００４８】
次に、Ｓ２０２において、ＣＰＵ１０５は、ロケール取得部１１２に係る処理を実行する。ロケール取得部１１２は、ロケール設定部１０７において設定され、記憶部１０９に記憶されたロケール情報を取得する。なお、ロケール情報は、例えば、図５（ｂ）に示すように、“００１１”といった、ホストコンピュータ１００で使用可能な言語を識別する情報であり、通常言語を表すロケール番号として取得される。
【００４９】
そして、ＣＰＵ１０５は、地域比較部１１６に係る処理を実行する。地域比較部１１６は、タイムゾーン取得部１１１に係る処理において取得したタイムゾーンに対応する地域情報と、ロケール取得部１１２に係る処理において取得した地域情報とを比較する（Ｓ２０３）。ここで、取得した地域情報が一致した場合（Ｓ２０３  Ｙｅｓ）、ＣＰＵ１０５は、インストール構成決定部１１３に係る処理を実行する。すなわち、インストール構成決定部１１３はエリア別ソフト構成プロファイル１２０を参照し、Ｓ２０１において取得したタイムゾーンがサポートされたタイムゾーンに一致するか否かを判断する（Ｓ２０４）。ここで、取得したタイムゾーンがサポートされたタイムゾーンに一致する場合（Ｓ２０４  Ｙｅｓ）、ＣＰＵ１０５はインストール構成決定部１１３によって、使用エリアを決定する（Ｓ２０５）。
【００５０】
一方、取得した地域情報が一致しない場合（Ｓ２０３  Ｎｏ）、及び取得したタイムゾーンがサポートされたタイムゾーンに一致しない場合（Ｓ２０４  Ｎｏ）、ＣＰＵ１０５は、地域入力部１１７に係る処理を実行する。地域入力部１１７は、ユーザインタフェースをディスプレイ１０２を介して表示させ、使用者にホストコンピュータ１００の使用エリアの入力を促す（Ｓ２０６）。
【００５１】
次に、ＣＰＵ１０５は、インストール構成決定部１１３を介してエリア別ソフト構成プロファイル１２０を参照し、Ｓ２０２において取得したロケール情報が使用エリアの対応ロケールに含まれているか否かを判断する（Ｓ２０７）。ここで、取得したロケール情報が対応ロケールに含まれている場合（Ｓ２０７  Ｙｅｓ）、ＣＰＵ１０５はインストール構成決定部１１３によって、取得したロケール情報の表示言語に決定する（Ｓ２０８）、一方、取得したロケール情報が対応ロケールに含まれていない場合（Ｓ２０７  Ｎｏ）、ＣＰＵ１０５はインストール構成決定部１１３によって、表示言語をデフォルト（例えば、英語）の構成に決定する（Ｓ２０９）。
【００５２】
そして、ＣＰＵ１０５はインストール構成決定部１１３によって、Ｓ２０５、又はＳ２０６において決定した使用エリアに基づき、対応するソフトウェア構成をカテゴリ別に取得する。
【００５３】
次に、ＣＰＵ１０５は、表示部１１４に係る処理を実行する。表示部１１４は、取得したソフトウェア構成をＳ２０８、又はＳ２０９において決定した表示言語にてディスプレイ１０２を介して表示させる（Ｓ２１０）。
【００５４】
Ｓ２１０において、ディスプレイ１０２を介して表示されたソフトウェア構成から、使用者によりインストール対象ソフトウェアが選択されると、ＣＰＵ１０５は、インストール部１１５に係る処理を実行する。すなわち、ＣＰＵ１０５はインストール部１１５によって、使用者により選択されたインストール対象ソフトウェアに対応するソフトウェアパッケージ１３０の格納場所をエリア別ソフト構成プロファイル１２０から取得し（Ｓ２１１）、取得した格納場所に格納されているソフトウェアパッケージ１３０をインストールする（Ｓ２１２）。
【００５５】
以上のように、第２の実施形態によれば、ホストコンピュータ１００のタイムゾーンが示す地域がホストコンピュータを使用している地域と一致していれば、使用者による使用エリアの入力無しにその地域に見合ったソフトウェアをインストール対象に構成することができるため、使用者の利便性を向上させることができる。また、ホストコンピュータにおけるロケール設定がホストコンピュータの使用エリアに設定されていない場合においても、当該ホストコンピュータの使用エリアの入力が使用者に対して促されるため、その地域に見合ったソフトウェアを確実にインストール対象に構成することができる。
【００５６】
なお、本実施形態の説明において、情報処理装置たるホストコンピュータに接続される画像形成装置の一例としてプリンタ／複合機を挙げてが、本発明はこれに限定されず、例えば、画像形成装置としてＭＦＰ等を用いてもかまわない。
【符号の説明】
【００５７】
１００  ホストコンピュータ
１０１  マウス
１０２  ディスプレイ
１０３  記憶媒体
１０４  プリンタ／複合機
１０５  ＣＰＵ
１０６  ＯＳ
１０７  ロケール設定部
１０８  タイムゾーン設定部
１０９  記憶部
１１０  インストーラプログラム
１１１  タイムゾーン取得部
１１２  ロケール取得部
１１３，１１３’  インストール構成決定部
１１４  表示部
１１５  インストール部
１１６  地域比較部
１１７  地域入力部
１２０  エリア別ソフト構成プロファイル
１３０  ソフトウェアパッケージ
【図１】
2013073321.tif 000003
【図２】
2013073321.tif 000004
【図３】
2013073321.tif 000005
【図４】
2013073321.tif 000006
【図５】
2013073321.tif 000007
【図６】
2013073321.tif 000008
【図７】
2013073321.tif 000009
【図８】
2013073321.tif 000010